(57)【要約】  ロック片の引き込み量を確保しつつ、装置全体を薄くコンパクトにすることができる、開閉体のロック装置を提供する。  この開閉体のロック装置１０は、開閉体に回動可能に取付けられるロータ２０と、ロータ２０外周に枢着され、その回動によりスライドし、他端部５５が被取付部材の係合部に係脱するロック片５０，５１と、ロック片５０，５１が係合部に向けてスライドするように、ロータ２０を直接又は間接的に回動付勢するスプリング４０と、ロータ２０の回動軸とほぼ平行な回動軸を介して開閉体に取付けられ、ロータ２０を押して回動させる押圧部８６を有するハンドル７０とを備え、ハンドル７０を回動させることで、スプリング４０の付勢力に抗してロータ２０を回動させて、ロック片と係合部との係合が解除されるように構成されている。
2013099601.tif 000002
【特許請求の範囲】
【請求項１】
被取付部材の開口部に開閉可能に取付けられる開閉体のロック装置であって、
前記開閉体に回動可能に取付けられる回転子と、
該回転子の回動に連動してスライドし、他端部が前記被取付部材の係合部に係脱するロック片と、
前記ロック片が前記係合部に向けてスライドするように、前記回転子を直接又は間接的に回動付勢するスプリングと、
前記回転子から延出されて同回転子と一体に回動するか、又は、前記開閉体に回動可能に取付けられ、前記回転子を連動させて回動させるハンドルとを備え、
該ハンドルの回動軌跡により形成されるハンドル回動面と、前記開閉体の表面とが対向するように、前記ハンドルが配置されており、
前記ハンドルを回動させることにより、前記スプリングの付勢力に抗して前記回転子を回動させて、前記ロック片と前記係合部との係合を解除するように構成されていることを特徴とする開閉体のロック装置。
【請求項２】
前記ハンドルは、前記回転子と別体のレバー状をなし、一端部を回動軸によって支持され、他端部に前記回転子を押して回動させる押圧部が設けられている請求項１記載の開閉体のロック装置。
【請求項３】
前記回転子には、前記スプリングの付勢力によって回動するとき、前記ハンドルの押圧部に当接する突出部が設けられ、前記ハンドルの一端部には、前記回転子の突出部に押されて回動するとき、前記回転子の外周に当接して回動量を規制するストッパ部が設けられている請求項２記載の開閉体のロック装置。
【請求項４】
前記ハンドルは、前記回転子の外周から一体的に伸びるレバー状をなし、前記回転子と一体に回動する請求項１記載の開閉体のロック装置。
【請求項５】
前記開閉体の前面に操作孔が形成されており、前記回転子、前記ロック片及び前記ハンドルが前記開閉体の裏面側に取付けられて、前記操作孔を通して前面側から前記ハンドルを操作することにより、前記ハンドルが回動するように構成されている請求項１〜４のいずれか１つに記載の開閉体のロック装置。
【請求項６】
前記ハンドルは、下から上に引き上げることにより、前記回転子が前記スプリングに抗して回動するように構成されている請求項５記載の開閉体のロック装置。
【請求項７】
前記開閉体の前壁の上端面に操作孔が形成されており、前記回転子、前記ロック片及び前記ハンドルが、前記開閉体の前壁の内部に取付けられて、前記ハンドルを前記操作孔を通して押し下げることにより、前記回転子が前記スプリングに抗して回動するように構成されている請求項１〜４のいずれか１つに記載の開閉体のロック装置。
【請求項８】
前記ハンドルと前記ロック片との間には、前記ハンドルを回動させて前記回転子を前記スプリングの付勢力に抗して回動させるとき、その回動量を規制する第１規制部が設けられている請求項１〜７のいずれか１つに記載の開閉体のロック装置。
【請求項９】
前記ハンドルと前記ロック片との間には、前記ロック片が外部から強制的に開閉体内に引き込まれるとき、その引き込み量を規制する第２規制部が設けられており、この第２規制部による引き込み量は、前記第１規制部による引き込み量よりも大きくされている請求項８記載の開閉体のロック装置。
【発明の詳細な説明】
【技術分野】
【０００１】
本発明は、例えば、自動車のインストルメントパネル等の開口部に、開閉可能に取付けられるリッド等の開閉体を、閉じた状態にロックするための、開閉体のロック装置に関する。
【背景技術】
【０００２】
例えば、自動車のインストルメントパネル等に形成された開口部には、グローブボックスやリッド等が開閉可能に取付けられている。そして、開口部に対してグローブボックスやリッドを閉じた状態にロックすると共に、開口部からグローブボックスやリッドを開いた状態とするためのロック装置が設けられている。【０００３】
下記特許文献１には、グラブボックスを開閉するリッドに押し引き可能に取付けられる操作ノブと、前記リッドの裏面側であって前記操作ノブに適合した位置に回動可能に取付けられる十字状のリンク部材と、このリンク部材の対称位置に配設された突起状の第１入力部及び第２入力部にそれぞれ取付けられ、リンク部材の回動に連動してスライドして、グラブボックスの係合孔から係脱する第１閂部及び第２閂部と、第１閂部及び第２閂部が係合孔に係合する方向となるように、前記リンク部材を回動付勢するリンク付勢手段とを備えた、サイドロック装置が記載されている。【０００４】
前記操作ノブには、キーシリンダが回動可能に取付けられており、その背面側から突起状の押圧部が突設されている。また、十字状のリンク部材の、前記第１入力部及び第２入力部に直交した位置には、ピン状の第１受圧部及び第２受圧部が突設されている。更に、リッドに押し引き可能に取付けられ、キーシリンダが取付けられた前記操作ノブの回動軸は、リッドの面方向に対して平行に配置され、一方、前記リンク部材の回動軸は、リッドの面方向に垂直で、前記操作ノブの回動軸に直交するように配置されている。【０００５】
そして、キーシリンダを回動させて解錠状態とし、その押圧部をリンク部材の第１受圧部の上側に配置した状態で、リッド表面から操作ノブを引き上げることにより、キーシリンダの押圧部にリンク部材の第１受圧部が押圧され、リンク付勢手段の付勢力に抗して、第１閂部及び第２閂部をグラブボックスの係合孔から引き込んで、リッドのロック解除がなされるようになっている。
【先行技術文献】
【特許文献】
【０００６】
【特許文献１】特開２００９−２３５７９４号公報
【発明の概要】
【発明が解決しようとする課題】
【０００７】
しかしながら、上記特許文献１記載のサイドロック装置では、操作ノブの回動軸に対してリンク部材の回動軸が直交し、操作ノブとリンク部材とが重なった位置に配置されているので、サイドロック装置全体の厚みが増して、コンパクト化を図りにくいというデメリットがあった。【０００８】
仮に、操作ノブやキーシリンダを短く形成して、装置全体の薄型化を図ろうとした場合には、操作ノブに取付けられたキーシリンダの突起状の押圧部も短くなるので、リンク部材の第１受圧部の移動量が小さくなり、リンク部材を大きく回動させにくくなり、第１閂部及び第２閂部を充分な距離でスライドさせることが困難となる。そのため、キーシリンダの押圧部は、操作ノブの回動時に、リンク部材の第１受圧部を充分な移動量で押圧できるように、長く形成する必要があるので、キーシリンダの奥行きを小さくすることはできず、サイドロック装置をコンパクト化することが困難であった。【０００９】
したがって、本発明の目的は、ロック片の引き込み量を確保しつつ、装置全体を薄くコンパクトにすることができる、開閉体のロック装置を提供することにある。
【課題を解決するための手段】
【００１０】
上記目的を達成するため、本発明は、被取付部材の開口部に開閉可能に取付けられる開閉体のロック装置であって、前記開閉体に回動可能に取付けられる回転子と、該回転子の回動に連動してスライドし、他端部が前記被取付部材の係合部に係脱するロック片と、前記ロック片が前記係合部に向けてスライドするように、前記回転子を直接又は間接的に回動付勢するスプリングと、前記回転子から延出されて同回転子と一体に回動するか、又は、前記開閉体に回動可能に取付けられ、前記回転子を連動させて回動させるハンドルとを備え、該ハンドルの回動軌跡により形成されるハンドル回動面と、前記開閉体の表面とが対向するように、前記ハンドルが配置されており、前記ハンドルを回動させることにより、前記スプリングの付勢力に抗して前記回転子を回動させて、前記ロック片と前記係合部との係合を解除するように構成されていることを特徴とする開閉体のロック装置を提供するものである。【００１１】
本発明の開閉体のロック装置においては、前記ハンドルは、前記回転子と別体のレバー状をなし、一端部を回動軸によって支持され、他端部に前記回転子を押して回動させる押圧部が設けられていることが好ましい。【００１２】
本発明の開閉体のロック装置においては、前記回転子には、前記スプリングの付勢力によって回動するとき、前記ハンドルの押圧部に当接する突出部が設けられ、前記ハンドルの一端部には、前記回転子の突出部に押されて回動するとき、前記回転子の外周に当接して回動量を規制するストッパ部が設けられていることが好ましい。【００１３】
本発明の開閉体のロック装置においては、前記ハンドルは、前記回転子の外周から一体的に伸びるレバー状をなし、前記回転子と一体に回動することが好ましい。【００１４】
本発明の開閉体のロック装置においては、前記開閉体の前面に操作孔が形成されており、前記回転子、前記ロック片及び前記ハンドルが前記開閉体の裏面側に取付けられて、前記操作孔を通して前面側から前記ハンドルを操作することにより、前記ハンドルが回動するように構成されていることが好ましい。【００１５】
本発明の開閉体のロック装置においては、前記ハンドルは、下から上に引き上げることにより、前記回転子が前記スプリングに抗して回動するように構成されていることが好ましい。【００１６】
本発明の開閉体のロック装置においては、前記開閉体の前壁の上端面に操作孔が形成されており、前記回転子、前記ロック片及び前記ハンドルが、前記開閉体の前壁の内部に取付けられて、前記ハンドルを前記操作孔を通して押し下げることにより、前記回転子が前記スプリングに抗して回動するように構成されていることが好ましい。【００１７】
本発明の開閉体のロック装置においては、前記ハンドルと前記ロック片との間には、前記ハンドルを回動させて前記回転子を前記スプリングの付勢力に抗して回動させるとき、その回動量を規制する第１規制部が設けられていることが好ましい。【００１８】
本発明の開閉体のロック装置においては、前記ハンドルと前記ロック片との間には、前記ロック片が外部から強制的に開閉体内に引き込まれるとき、その引き込み量を規制する第２規制部が設けられており、この第２規制部による引き込み量は、前記第１規制部による引き込み量よりも大きくされていることが好ましい。
【発明の効果】
【００１９】
本発明によれば、被取付部材の開口部を開閉体で閉じると、スプリングにより回動付勢された回転子を介して、ロック片が前記係合部に向けてスライドし、被取付部材の係合部に係合するので、開口部を開閉体で閉じた状態にロックすることができる。また、開閉体をロックした状態でハンドルを回動させて、スプリングの付勢力に抗して回転子を回動させることで、ロック片が係合部から離れる方向にスライドし、ロック片と係合部との係合を解除して、被取付部材の開口部を開くことができる。【００２０】
そして、ハンドルは、回転子と一体に又は回転子を連動させて回動すると共に、その回動軌跡により形成されるハンドル回動面と開閉体の表面とが対向するように配置されるようになっているので、回転子の回動軸方向に必要とされるスペースを小さくでき、ロック装置を薄型化することができる。このため、例えば開閉体の壁に沿って配置させることにより、開閉体のロック装置取付部の厚さを薄くすることができ、開閉体の内側の収容スペースを広くとることが可能となる。また、ロック装置の構造を簡易化して、故障等に対する信頼性を高めると共に、製造コストを低減することができる。
【図面の簡単な説明】
【００２１】
【図１】本発明に係る開閉体のロック装置の一実施形態を示す分解斜視図である。
【図２】同ロック装置を、背面側から見た場合の分解斜視図である。
【図３】同ロック装置の斜視図である。
【図４】同ロック装置を構成する回転子を示しており、（ａ）はその斜視図、（ｂ）は背面側から見た場合の斜視図である。
【図５】同ロック装置を構成するハンドルを示しており、（ａ）はその斜視図、（ｂ）は背面側から見た場合の斜視図である。
【図６】同ロック装置において、回転子、ハンドル、ロック片、スプリングを仮組みした状態を示す斜視図である。
【図７】同ロック装置において、図６のように仮組みした複数の部材を、開閉体に取付ける状態を示す斜視図である。
【図８】同ロック装置を、開閉体に取付けた状態を示す斜視図である。
【図９】同ロック装置を、開閉体の背面側から見た状態を示す説明図である。
【図１０】同ロック装置を、開閉体の正面側から見た状態を示す説明図である。
【図１１】同ロック装置の動作を示しており、（ａ）は第１規制部の動作時の説明図、（ｂ）は第２規制部の動作時の説明図である。
【図１２】同ロック装置により開閉体がロックされた状態を、開閉体の正面側から見た場合の説明図である。
【図１３】同ロック装置により開閉体がロックされた状態を、開閉体の背面側から見た場合の説明図である。
【図１４】同ロック装置において、ハンドルを操作してロックを解除した状態を、開閉体の正面側から見た場合の説明図である。
【図１５】同ロック装置において、ハンドルを操作してロックを解除した状態を、開閉体の裏面側から見た場合の説明図である。
【図１６】本発明に係る開閉体のロック装置の、他の一実施形態を示しており、その要部拡大斜視図である。
【図１７】本発明に係る開閉体のロック装置の、更に他の一実施形態を示しており、その要部拡大斜視図である。
【図１８】同ロック装置を、開閉体に取付けた状態を示す斜視図である。
【発明を実施するための形態】
【００２２】
以下、図１〜１５を参照して、本発明に係る開閉体のロック装置の一実施形態について説明する。
【００２３】
図８〜１０に示すように、この実施形態における開閉体のロック装置１０（以下、「ロック装置１０」という）は、車両のインストルメントパネル１（本発明における「被取付部材」）に設けられた開口部１ａに、開閉可能に取付けられるグローブボックス３（本発明における「開閉体」）を、閉じた状態にロックするために用いられるものである。
【００２４】
このロック装置１０は、図１〜３に示すように、グローブボックス３に回動可能に取付けられるロータ２０と、このロータ２０に枢着されて、同ロータ２０の回動に連動してスライド動作する一対のロック片５０，５１と、前記ロータ２０を回動付勢するスプリング４０と、前記ロータを回動させるハンドル７０とから構成されている。なお、前記ロータ２０が、本発明における「回転子」をなしている。
【００２５】
図８に示すように、グローブボックス３は、開口部１ａに適合する寸法で形成された前壁３ａと、この前壁３ａの裏面側に連設されたボックス３ｂとから構成されている。なお、前壁３ａは、実際には表側パネルと裏側パネルとで内部空間を有するように構成された壁体からなり、ロック装置１０は、この内部空間に配置されるようになっている。図８以外の図面においては、裏側パネルを省略して、ロック装置１０が見える状態で描かれている。また、前記開口部１ａの幅方向両側部の内面には、係合孔１ｂ，１ｂがそれぞれ形成されている。この係合孔１ｂが本発明における「係合部」をなしている。
【００２６】
図７，８，９に示すように、前記前壁３ａの表側上方であって幅方向一側部寄りの部分に、操作孔４が形成されており、この操作孔４の裏側には、上方及び上方両側部が開口した箱状のカバー４ｂが取付けられ、前面側から見たとき、操作孔４の下方部分はカバー４ｂが奥方に配置された凹状をなしている。また、操作孔４の上部は、前壁３ａの表裏を貫通する挿通部４ａをなしている。
【００２７】
また、図９に示すように、前記前壁３ａの裏側であって、その幅方向両側部近傍には、ロック片支持部５，６がそれぞれ立設されている。図７に示すように、ロック片支持部５には支持孔５ａが形成され、ロック片支持部６にも図示しない支持孔が形成されており、一対のロック片５０，５１がスライド可能に支持されるようになっている。
【００２８】
図１〜３、図７及び図９に示すように、前記前壁３ａの裏側であって、前記挿通部４ａの幅方向一側部に、ハンドル７０を回動支持するためのハンドル回動軸７が設けられている。このハンドル回動軸７は、前壁３ａの操作孔４を含む平面に対して垂直に突設されている。また、前壁３ａの裏側であって、挿通部４ａの幅方向他側部には、ロータ２０を回動支持するためのロータ回動軸８が、前壁３ａの操作孔４を含む平面に対して垂直に突設されている。
【００２９】
また、図９、図１２及び図１３に示すように、前壁３ａの裏側であってロータ回動軸８の上方には、スプリング４０の一端を係止するための、円柱状のスプリング係止ピン９が突設されている。
【００３０】
次に、図１〜４を参照して、グローブボックス３に回動可能に取付けられるロータ２０について説明する。
【００３１】
図４（ｂ）に示すように、このロータ２０は、前記ロータ回動軸８が挿入される支持孔２１ａを中央に設けた円形板２１と、該円形板２１の支持孔２１ａの裏側から立設した内側円筒壁２２と、円形板２１の裏側周縁から前記内側円筒壁２２に対して同心状に立設した外側円筒壁２３とを有している。また、内側円筒壁２２の内部には、ネジ係合段部２２ａが形成されている。
【００３２】
そして、図１、７，９に示すように、支持孔２１ａにロータ回動軸８を挿入し、その内周にネジ８ａを螺着して、ネジ頭部をネジ係合段部２２ａに係合させることで、ロータ２０が、ロータ回動軸８を中心として、前壁３ａの操作孔４を含む平面に沿って回動可能となるように、前壁３ａの裏側に抜け止めされた状態で取付けられる。
【００３３】
図４（ａ）、（ｂ）に示すように、前記外側円筒壁２３の円形板２１寄りの位置には、スプリング４０の一端をロータ外方に突出させる、スプリング挿出溝２５が周方向に沿って形成されている。また、同外側円筒壁２３の開口部寄りの、スプリング挿出溝２５にほぼ対向する位置には、スプリング４０の他端を係止させる、鍵溝状のスプリング係止溝２７が形成されている。
【００３４】
更に、前記外側円筒壁２３の開口部外周の対向する位置からは、板状の延出片３０，３１がそれぞれ延出されている。各延出片３０，３１の裏側であって、前記支持孔２１ａを中心として対向する位置には、一対のロック片５０，５１を枢着するための、枢着ピン３０ａ，３１ａがそれぞれ突設されている。また、延出片３０の先端部には、ロック片５０を仮組みするための、矩形状の仮組用係止孔３３が形成されている。
【００３５】
更に、前記外側円筒壁２３の開口部外周であって、前記延出片３０に隣接した位置からは、ハンドル７０の回動時に押圧されてロータ２０を回動させる、板状の突出部３５が突設されている。この突出部３５の一側面は延出片３０に対して直交し、他側面は突出部３５を先細状とするテーパ状となっている。
【００３６】
前記円形板２１の周縁であって、前記突出部３５とほぼ整合した位置からは、略扇状をなしたハンドル抑え片３７が延設されており、ハンドル７０が回動されていない状態で、ハンドル７０の先端部表側に配置されて、ハンドル７０のガタ付きを抑える部分となっている（図１２参照）。
【００３７】
次に、図１〜３を参照して、上記ロータ２０の外周に枢着される一対のロック片５０，５１について説明する。
【００３８】
この実施形態におけるロック片５０，５１は、一端部５３から所定長さで直線状に伸びると共に、軸方向途中で屈曲して、他端部５５が一端部５３に対して平行に伸びる形状をなし、一方のロック片５０の方が、他方のロック片５１よりも短く形成されている。また、ロック片５０，５１の各一端部５３の表面側（ロータ２０の裏面側に配置される面側）には、前記ロータ２０の枢着ピン３０ａ，３１ａが脱着可能に嵌合する、嵌合凹部５３ａが形成されており、ロック片５０，５１の一端部５３，５３がロータ２０の対称位置に枢着されるようになっている（図３及び図９参照）。
【００３９】
更にロック片５０，５１の各他端部５５は、グローブボックス３のロック片支持部５，６の支持孔にそれぞれ挿入され、そのスライド動作が支持されると共に、インストルメントパネル１の係合孔１ｂ，１ｂに係脱するようになっている。各他端部５５の端面には、グローブボックス３を閉じるときに開口部１ａの内面に押圧され、他端部５５を前壁３ａの内方に引き込ませるための、テーパ面５５ａが形成されている。
【００４０】
図１、図２及び図６に示すように、前記ロック片５０の一端部５３の最端部表面からは、ロック片５０とハンドル７０とを仮組みするための、平行な一対の突片からなる仮組用係止部５７が突設されている。同ロック片５０の、他端部側の屈曲部分よりもやや手前側の側部には、ロータ２０の仮組用係止孔３３に挿入されロック片５０とロータ２０とを仮組みするための、平行な一対の突片からなる仮組用係止部５８が突設されている。
【００４１】
更に前記ロック片５０の軸方向途中の表面側からは、スライド規制部６０が突設されている。図１に示すように、このスライド規制部６０の、一端部５３側の基端面６１は、ロック片５０の軸方向に直交した形状をなし、その上方には一端部５３に向けて段部６２が突設されている。
【００４２】
また、ロック片５１の他端部５５の外周には、四角環状の抜止め突部６３が設けられており、この抜止め突部６３が、前記ロック片支持部６の図示しない支持孔の内側周縁に係合して、ロータ２０にロック片５１を組付けるときに、パネル外方へのスライド量を規制する部分となっている（図１２及び図１３参照）。
【００４３】
次に、一対のロック片５０，５１の他端部５５，５５を、前記インストルメントパネル１の係合孔１ｂ，１ｂに向けてスライドするように、上記ロータ２０を回動付勢するスプリング４０について説明する。
【００４４】
図１〜３に示すように、このスプリング４０は、ロータ２０の両円筒壁２２，２３間に配置される筒状のコイル部４１と、このコイル部４１の一端から延出されて、前記スプリング挿出溝２５から挿出し、前記スプリング係止ピン９（図９参照）に係止する脚部４３と、前記コイル部４１の他端から延出すると共に鍵状に屈曲して、前記スプリング係止溝２７（図４（ｂ）参照）に係止する脚部４５とから構成されている。このスプリング４０により、ロータ２０が所定方向に回動付勢され（図９、図１２及び図１３の矢印参照）、ロック片５０，５１の各他端部５５が、インストルメントパネル１の係合孔１ｂ，１ｂに向けて付勢されるようになっている。
【００４５】
次に、図１〜３及び図５を参照して、上記ロータ２０を回動させるハンドル７０について説明する。
【００４６】
この実施形態におけるハンドル７０は、前記ロータ２０とは別体とされ、所定長さで伸びるレバー状の本体７１を有している。この本体７１は、長板状の底壁７２と、この底壁７２の一方の長辺周縁から垂設した正面壁７３とからなり、略Ｌ字状をなしている。前記底壁７２の一方の長辺下面からは、ハンドル操作時に指を引き掛けやすくするための、指掛け突部７２ａが突設されている（図５（ａ）参照）。また、底壁７２の一対の短辺の下面からは、操作孔カバー壁７２ｂ，７２ｂがそれぞれ垂設されている。
【００４７】
前記本体７１の長手方向一端から板体７４が延設され、この板体７４の下面に斜め外方に向けて延出した一端部７５が設けられており、この一端部７５の先端に前記ハンドル回動軸７が挿入される支持孔７６が形成されている。この支持孔７６の内周には、ネジ係合段部７６ａが形成されている（図５（ｂ）参照）。
【００４８】
そして、支持孔７６にハンドル回動軸７を挿入し、その内周にネジ７ａを螺着して、ネジ頭部をネジ係合段部７６ａに係合させることにより、ハンドル７０が、ハンドル回動軸７を中心として、前壁３ａの操作孔４を含む平面に沿って回動可能となるように、前壁３ａの裏側に抜け止めされた状態で取付けられるようになっている（図７及び図９参照）。
【００４９】
また、上記取付状態では、ハンドル７０の本体７１の、底壁７２及び正面壁７３の下方部分が、前記グローブボックス３の挿通部４ａを通して表側から露出するようになっており（図８及び図１０参照）、この挿通部４ａを通して、ハンドル７０を下から上に引き上げる方向に回動させることが可能となっている。
【００５０】
上記のように、ハンドル７０は、ハンドル回動軸７を中心として、下から上に引き上げる方向に回動するようになっている。そして、このロック装置１０においては、図１１に示すように、このハンドル７０の回動軌跡により形成されるハンドル回動面Ｆ１と、グローブボックス３の前壁３ａの表面Ｆ２とが対向するように、ハンドル７０がグローブボックス３の裏面側に配置されている。なお、上記ハンドル回動面Ｆ１とは、ハンドル７０の正面壁７３の回動軌跡によって形成される面を意味する。
【００５１】
また、この実施形態では、ハンドル回動面Ｆ１とグローブボックス３の表面Ｆ２とは、平行となるように配置されているが、本発明における「ハンドル回動面と開閉体の表面とが対向する」とは、両者が互いに向き合って並列して配置され、回動軸方向のスペースが小さくされた形状であればよく、必ずしも平行である必要はない。
【００５２】
同時に本実施形態では、前壁３ａの操作孔４を含む平面に対してハンドル回動軸７及びロータ回動軸８が垂設され、ハンドル回動軸７はロータ回動軸８に対して平行となっているが、ハンドル回動軸７はロータ回動軸８に対して正確に平行である必要はなく、上記目的が達成される範囲で、所定角度傾いていてもよい。なお、図１１に示すように、ハンドル回動軸７の軸心は符号Ｃ２で表わされ、ロータ回動軸８の軸心は符号Ｃ１で表わされている。
【００５３】
前記板体７４の上方からは、仮組用係止片７８が垂設されており、その先端には矩形状の仮組用係止孔７９が形成され、これに前記ロック片５０の仮組用係止部５７が挿入されるようになっている（図６参照）。
【００５４】
また、前記本体７１の長手方向他端側には、正面壁７３に直交して裏側に延出された側壁８０が設けられている。この側壁８０は、ハンドル７０を回動させてロータ２０をスプリング４０の付勢力に抗して回動させたときに、図１１（ａ）に示すように、前記ロック片５０のスライド規制部６０の段部６２（図１参照）に当接して、ハンドル７０の回動量を規制し、これに伴ってロータ２０の回動量を規制する部分となっている。すなわち、ハンドル７０の側壁８０と、ロック片５０のスライド規制部６０の段部６２とが、本発明における「第１規制部」をなしている。
【００５５】
また、側壁８０は、ロック片５０が外部から強制的に押されたときに、図１１（ｂ）に示すように、ロック片５０のスライド規制部６０の基端面６１（図１参照）に当接して、ロック片５０の引き込み量を規制し、かつ、その引き込み量を前記段部６２が側壁８０に当接する場合よりも大きく確保する部分となっている。すなわち、ハンドル７０の側壁８０と、ロック片５０のスライド規制部６０の基端面６１とが、本発明における「第２規制部」をなしている。
【００５６】
また、上記側壁８０の先端から正面壁７３と平行に他端部８２が突設され、この他端部８２の先端上方に、底壁７２側の一側面がテーパ状に傾斜して、先端に向けて次第に細く形成された、板状のストッパ部８４が突設されている。図１２に示すように、このストッパ部８４が、ロータ２０の突出部３５とハンドル抑え片３７との間に入り込んで、外側円筒壁２３の外周に当接して、ハンドル７０の回動量が規制されるようになっている。
【００５７】
更に上記他端部８２の下縁部には、底壁７２と平行に裏側に突出する押圧部８６が連設されている。そして、スプリング４０によりロータ２０が回動付勢された状態で、押圧部８６の上面にロータ２０の突出部３５が当接配置され、ハンドル７０を回動させることで、押圧部８６が突出部３５を押圧して、ロータ２０を回動させるようになっている（図１３及び図１５参照）。
【００５８】
次に、上記構成部材からなるロック装置１０の作用効果について説明する。始めにロック装置１０の組立工程について説明する。
【００５９】
まず、スプリング４０の脚部４３をロータ２０のスプリング挿出溝２５から挿出させ、スプリング４０の脚部４５をロータ２０のスプリング係止溝２７に係止させると共に、スプリング４０のコイル部４１をロータ２０の内側円筒壁２２及び外側円筒壁２３の間に挿入配置することで、ロータ２０にスプリング４０を装着させる。
【００６０】
そして、図６に示すように、ロータ２０の仮組用係止孔３３にロック片５０の仮組用係止部５８を挿入して、ロータ２０をロック片５０に係止させると共に、ロータ２０の突出部３５の表側にハンドル７０の他端部８２を重なるように配置し、同ハンドル７０の仮組用係止孔７９にロック片５０の仮組用係止部５７を挿入して、ハンドル７０をロック片５０に係止させることで、ロック片５０を介して、スプリング４０が装着されたロータ２０とハンドル７０とを一体化した状態で仮組みすることができる。
【００６１】
次いで、図７に示すように、仮組みしたハンドル７０の支持孔７６にハンドル回動軸７を挿入して、ネジ７ａでネジ留め固定すると共に、ロータ２０の支持孔２１ａ（図４（ａ）参照）にロータ回動軸８を挿入して、ネジ８ａでネジ留め固定する。その結果、ロータ２０及びハンドル７０をロータ回動軸８及びハンドル回動軸７を中心として、前壁３ａの操作孔４を含む平面に沿って回動可能に取付けることができる。また、スプリング４０の脚部４３を、前壁３ａの裏側のスプリング係止ピン９（図１２参照）に係止させることで、ロータ２０を図９の矢印に示す方向に回動付勢させる。
【００６２】
上記のように本実施形態では、ロータ２０、スプリング４０、ハンドル７０、ロック片５０の４つの構成部材を仮組みして一体化することができるので、それらを別々に前壁３ａに取付ける場合と比べて、取付け作業性を向上させることができる。特に、ハンドル７０の支持孔７６とロータ２０の支持孔２１ａとを、ハンドル回動軸７及びロータ回動軸８に正確に位置決めすることができるので、各支持孔７６，２１ａに各回動軸７，８をスムーズに挿入することができ、作業効率を高めることができる。また、ロータ回動軸８とハンドル回動軸７とが互いに平行となっているので、ネジ８ａ，７ａを同じ向きで迅速にネジ留めすることが可能で、取付け作業性を向上させることができる。
【００６３】
その後、前壁３ａの裏側からロック片５０を引き離すことで、ロック片５０の仮組用係止部５７，５８が、ハンドル７０の仮組用係止孔７９及びロータ２０の仮組用係止孔３３からそれぞれ引き抜かれて、ロック片５０をハンドル７０及びロータ２０から取外すことができる。
【００６４】
上記取付状態では、ハンドル７０の底壁７２及び正面壁７３の下方部分が、グローブボックス３の挿通部４ａの表側から見えるように露出して配置される。また、底壁７２の短辺側両側から垂設した操作孔カバー壁７２ｂ，７２ｂが、挿通部４ａの両側開口部に配置されるようになっているので（図７参照）、見栄えを向上させることができる。
【００６５】
更に上記取付状態では、ハンドル７０のストッパ部８４が、ロータ２０の突出部３５とハンドル抑え片３７との間に入り込んで、外側円筒壁２３の外周に当接すると共に（図１２参照）、ハンドル７０の押圧部８６の上面にロータ２０の突出部３５が当接して配置されるようになっている（図１３参照）。
【００６６】
したがって、スプリング４０によってロータ２０が回動付勢され、図１２及び図１３の矢印方向に回動するとき、ロータ２０の突出部３５がハンドル７０の押圧部８６に当接して、その回動量が規制されると共に、ハンドル７０のストッパ部８４がロータ２０の外周に当接して、ハンドル７０の回動量が規制されるので、グローブボックス３のロック片支持部５，６や、その他の部品の寸法精度に影響されることなく、ハンドル７０とロータ２０との間で、両者の回動量を正確に規制することができる。
【００６７】
その後、ロック片５０の他端部５５をロック片支持部５の支持孔５ａに挿入し、ロック片５０の嵌合凹部５３ａにロータ２０の枢着ピン３０ａを嵌合させると共に、ロック片５１の他端部５５をロック片支持部６の図示しない支持孔に挿入し、ロック片５１の嵌合凹部５３ａにロータ２０の枢着ピン３１ａを嵌合させることで、ロック片５０，５１の一端部５３，５３がロータ２０にそれぞれ枢着されて、一対のロック片５０，５１を、ロータ２０のロータ回動軸８を中心として点対称となる位置で、前壁３ａの水平方向に対してスライド可能となるように配設することができる。この状態で、前壁３ａの図示しない裏側パネルを被せて、ロック装置１０を前壁３ａの内部空間に収容する。このとき、裏側パネルの両側には、ロック片５０，５１の先端部を挿出させる挿出孔が形成されており、ロック片５０，５１を一旦押し込めながら、裏側パネルを被せるようにする。
【００６８】
そして、インストルメントパネル１の開口部１ａを閉じるべく、グローブボックス３を押し込むと、ロック片５０，５１の各他端部５５のテーパ面５５ａが、開口部１ａの内面に押圧されて、スプリング４０の回動付勢力に抗して各ロック片５０，５１が前壁３ａ内方に向けて引き込まれ、各他端部５５が開口部１ａの内面の係合孔１ｂ，１ｂに至ると、再度スプリング４０によってロータ２０が回動付勢されて、ロック片５０，５１が押し出され、各他端部５５，５５が係合孔１ｂ，１ｂにそれぞれ係合して、開口部１ａをグローブボックス３によって閉じた状態にロックすることができる（図１２及び図１３参照）。
【００６９】
上記状態で、挿通部４ａから前壁３ａの前面に露出したハンドル７０の底壁７２を押し上げて、ハンドル７０をハンドル回動軸７を中心にして、下から上に引き上げるように回動させることで、ハンドル７０の押圧部８６がロータ２０の突出部３５を押圧し、スプリング４０の回動付勢力に抗してロータ２０を回動し、これに同期して一対のロック片５０，５１がスライドして、各他端部５５，５５がインストルメントパネル１の係合孔１ｂから引き込まれて係合解除され、開口部１ａからグローブボックス３を開くことができる（図１４及び図１５参照）。
【００７０】
そして、このロック装置１０においては、ハンドル７０がロータ２０と別体とされ、ロータ２０を連動させて回動させると共に、その回動軌跡に形成されるハンドル回動面Ｆ１と、グローブボックス３の前壁３ａの表面Ｆ２とが対向するように、ハンドル７０がグローブボックス３の裏面側に配置され（図１１参照）、ハンドル７０とロータ２０とをグローブボックス３の前壁３ａの裏面側に沿って並列して配置することができるので、ロータ２０の回動軸方向に必要とされるスペースを小さくすることができ、ロック装置１０を薄くすることができ、グローブボックス３の内側の収容スペースを広くとることが可能となる。
【００７１】
また、この実施形態では、ハンドル７０がロータ２０とは別体でレバー状をなしていると共に、その一端部７５にハンドル回動軸７が配置され、他端部８２にロータ２０を回動させる押圧部８６が設けられているので、ハンドル７０の回動中心と押圧部８６との距離を確保して、ハンドル７０の回転モーメントを大きくとることができ、ロック片５０，５１をパネル内方に引き込みやすくすることができる。
【００７２】
更に本実施形態では、グローブボックス３の前壁３ａの前面に挿通部４ａが形成されロータ２０、一対のロック片５０，５１及びハンドル７０が、前壁３ａの裏側に取付けられて、挿通部４ａを通して前面側からハンドル７０を操作することで、ハンドル７０が前壁３ａの操作孔４を含む平面に沿って回動するように構成されているので、開閉体であるグローブボックス３の前面の前壁３ａにおける、ロック装置１０の取付スペースを薄くして、グローブボックス内側の収容スペースを大きく確保することができる。
【００７３】
ところで、このロック装置１０においては、スプリング４０により回動付勢されたロータ２０の突出部３５が、ハンドル７０の押圧部８６に当接するので（図１３参照）、ハンドル７０がスプリング４０により回動方向下向きに付勢されることとなる。そして、本実施形態では、挿通部４ａを通して、ハンドル７０を下から上に引き上げる方向に回動させることで、ロータ２０がスプリング４０の回動付勢力に抗して回動するように構成されているので、開口部１ａに対してグローブボックス３を閉じる瞬間にロック片５０，５１が押し込められて、スプリング４０の付勢力がハンドル７０に伝わらない状態となっても、ハンドル７０は自重によってふらつきが防止されると共に、開口部１ａに対してグローブボックス３を閉じる方向が（図８参照）、ハンドル７０の回動軸方向になるので、ガタ付き音の発生を防止することができる。
【００７４】
また、この実施形態では、ハンドル７０とロック片５０との間に、ハンドル７０の側壁８０とロック片５０のスライド規制部６０の段部６２とからなる第１規制部が設けられている。そして、図１１（ａ）に示すように、ハンドル７０を回動させてロータ２０をスプリング４０の付勢力に抗して回動させたときに、ロック片５０のスライド規制部６０の段部６２に当接して、ハンドル７０の回動量が規制されると共に、これに伴ってロータ２０の回動量も規制されるので、ロック片５０の引き込み量を規制することができる。そのため、グローブボックス３のロック片支持部５，６や、その他の部品の寸法精度に影響されることなく、ロック片５０の引き込み量を確実に規制することができる。
【００７５】
更に、本実施形態では、ハンドル７０とロック片５０との間に、ハンドル７０の側壁８０とロック片５０のスライド規制部６０の基端面６１とからなる第２規制部が設けられている。そして、図１１（ｂ）に示すように、ロック片５０を外部から強制的に押したときには、ロック片５０のスライド規制部６０の基端面６１に当接して、ロック片５０の引き込み量が規制される。その引き込み量は、上記第１規制部による引き込み量よりも大きいので、前壁３ａの裏面側にロック片５０，５１を取付けた後、図示しない裏側パネルを被せて装着する際、裏側パネルの両側面に形成された挿出孔からロック片５０，５１の先端部が挿出されるまで、ロック片５０，５１を大きく引き込めて装着しやすくすることができる。
【００７６】
一方、グローブボックス３のロック解除時には、ハンドル７０の回動及びロータ２０の回動が、前記第１規制部によって規制されると共に、この第１規制部によるロック片５０の引き込み量が、第２規制部によるロック片５０の引き込み量よりも小さく構成されているので、ロック片５０，５１が、前壁３ａの図示しない裏側パネルの両側面に形成された挿出孔から内側に抜けてしまうことを防止できる。
【００７７】
図１６には、本発明に係る開閉体のロック装置の、他の実施形態が示されている。なお、前記実施形態と実質的に同一部分には同符号を付してその説明を省略する。
【００７８】
図１６にはその要部拡大斜視図が示されている。同図に示すように、この実施形態における開閉体のロック装置１０ａ（以下、「ロック装置１０ａ」）は、ロータ２０ａとハンドル７０ａとが一体で形成されている。すなわち、ロータ２０ａには、外周のほぼ対向する位置から延出片３０，３１が延出され、それらの先端部に、ロック片５０ａ，５１ａの端部が前記実施例と同様な態様で枢着されている。また、ロータ２０ａの外周から、その回動軸方向に沿って板状の連結片３２が延出され、この連結片３２の先端から外径方向に向けて延出するように、基端側が幅狭で先端側に向けてやや幅広とされたレバー状のハンドル７０ａが連結されている。
【００７９】
また、ロータ２０ａの中心に、図示しない回動軸が挿入される支持孔２１ａが形成されており、ロータ２０ａ及びハンドル７０ａは、この支持孔２１ａに挿入される図示しない支軸を介して、グローブボックスの前壁の裏面側に回動可能に取付けられている。したがって、この実施形態では、ロータ２０ａの回動軸の軸心Ｃ１と、ハンドル７０ａの回動軸の軸心Ｃ２とが同一となっている。そして、ハンドル７０ａを回動させると、ロータ２０ａが、ハンドル７０ａと一体となって回動して、ロック片５０ａ，５１ａがスライド動作するようになっている。
【００８０】
この実施形態のロック装置１０ａによれば、ハンドル７０ａがロータ２０ａに一体とされたレバー状をなしているので、部品点数を減らして製造コストを低減できると共に、ハンドル７０ａの長さを確保して、回転モーメントを大きくとることができる。
【００８１】
図１７及び図１８には、本発明に係る開閉体のロック装置の、更に他の実施形態が示されている。なお、前記実施形態と実質的に同一部分には同符号を付してその説明を省略する。
【００８２】
図１７に示すように、この実施形態における開閉体のロック装置１０ｂ（以下、「ロック装置１０ｂ」）は、ロータ２０ｂとハンドル７０ｂとが別体とされており、また、図１８に示すように、グローブボックス３Ａの上端部に取付けられ、ハンドル７０ｂを下方に押し下げる構造となっている。
【００８３】
グローブボックス３Ａの前面の前壁３ａは表側パネル及び裏側パネルからなり、その内部にロック装置１０ｂが取付けられるようになっており、更にその上端面３ｃのほぼ中央に、ハンドル７０ｂの一部が突出する、操作孔４が形成されている。また、前壁３ａの両側には、ロック片５０ｂ，５１ｂをスライド支持する挿出孔が形成されている。
【００８４】
ロータ２０ｂは、その中央に図示しないロータ回動軸が挿入される支持孔２１ａを有していると共に、その外周の所定箇所から斜め外方に向けて、突出部３５が延設されている。また、ハンドル７０ｂはＬ字状の本体７１を有しており、他端部８２の先端から、前記ロータ２０ｂの突出部３５を押圧する押圧部８６が、本体７１に対して直交して設けられている。この押圧部８６の中央から、プッシュ部８８が突設されている。また、ロータ２０ｂの図示しないロータ回動軸の軸心Ｃ１と、ハンドル７０ｂの図示しないハンドル回動軸の軸心Ｃ２とは互いに平行とされている。
【００８５】
そして、このロック装置１０ｂは、ロータ２０ｂのロータ回動軸及びハンドル７０ｂのハンドル回動軸が、前壁３ａの操作孔４を含む平面（上端面３ｃ）に対して平行で、かつ、ロータ２０ｂ及びハンドル７０ｂが、前壁３ａの表側パネル及び裏側パネルの平面に沿って回動可能となるように、前壁３ａに取付けられている。また、ハンドル７０ｂのプッシュ部８８が、前壁３ａの操作孔４から上方に向けて突出して、同プッシュ部８８を押し込み可能となっている。
【００８６】
このロック装置１０ｂの場合、操作孔４から突出したプッシュ部８８を下方に向けて押し下げることにより、押圧部８６が突出部３５を押圧して、ロータ２０ｂを回動させて、ロック片５０ｂ，５１ｂをスライド動作させるようになっている。また、この実施形態では、操作孔４がグローブボックス３の前壁３ａの上端面３ｃに形成されているので、グローブボックス３を前面側から見たときに目立たず、見栄えを向上させることができる。
【００８７】
なお、以上の実施形態では、開閉体であるグローブボックスにロック装置が取付けられているが、被取付部材であるインストルメントパネル側にロック装置を取付けることもできる。また、本実施形態のロック装置は、インストルメントパネル１の開口部１ａに、グローブボックスが開閉可能に取付けられた構造に適用したが、例えば、インストルメントパネルの開口部に、リッドが開閉可能に取付けられた構造等に適用してもよく、開口部を開閉する各種の開閉体に広く用いることができる。また、上記実施形態においては、２本のロック片が、インストルメントパネル１の開口部１ａの両側内面に設けられた係合孔１ｂ，１ｂにそれぞれ係合するようにしたが、例えば、ロック片を１つにして、開口部の上側内面等に形成された係合孔に係合するようにしてもよい。
【００８８】
更に上記実施形態では、開閉体に回動可能に取付けられたハンドルにより、回転子であるロータを直接的に回動させる構造となっているが、この構造に限定されるものではない。例えば、回転子をピニオンギヤとすると共に、一対のロック片の他端部にラック溝をそれぞれ形成して、前記ピニオンギヤに歯合させておき、ハンドルを回動させて、一方のロック片をスライドさせることで、ピニオンギヤを連動させて回動させ、他方のロック片をスライドさせるようにしてもよい。また、回転子を前記実施形態と同様にロータとし、その外周の一部所定範囲にギヤ溝を形成し、一方、ハンドルの先端に、ロータのギヤ溝に歯合するギヤ溝を形成しておき、ハンドルを回動させることで、両ギヤ溝を介してロータを回動させるようにしてもよい。その他、公知の回動構造を採用することができる。
【符号の説明】
【００８９】
１  インストルメントパネル（被取付部材）
１ａ  開口部
１ｂ  係合孔（係合部）
３，３Ａ  グローブボックス（開閉体）
４  操作孔
１０，１０ａ，１０ｂ  ロック装置
２０  ロータ
３５  突出部
４０  スプリング
５０，５０ａ，５０ｂ，５１，５１ａ，５１ｂ  ロック片
５３  一端部
５５  他端部
７０，７０ａ，７０ｂ  ハンドル
７５  一端部
８２  他端部
８４  ストッパ部
８６  押圧部
【図１】
2013099601.tif 000003
【図２】
2013099601.tif 000004
【図３】
2013099601.tif 000005
【図４】
2013099601.tif 000006
【図５】
2013099601.tif 000007
【図６】
2013099601.tif 000008
【図７】
2013099601.tif 000009
【図８】
2013099601.tif 000010
【図９】
2013099601.tif 000011
【図１０】
2013099601.tif 000012
【図１１】
2013099601.tif 000013
【図１２】
2013099601.tif 000014
【図１３】
2013099601.tif 000015
【図１４】
2013099601.tif 000016
【図１５】
2013099601.tif 000017
【図１６】
2013099601.tif 000018
【図１７】
2013099601.tif 000019
【図１８】
2013099601.tif 000020
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
被取付部材の開口部に開閉可能に取付けられる開閉体のロック装置であって、
前記開閉体に回動可能に取付けられる回転子と、
該回転子の回動に連動してスライドし、他端部が前記被取付部材の係合部に係脱するロック片と、
前記ロック片が前記係合部に向けてスライドするように、前記回転子を直接又は間接的に回動付勢するスプリングと、
前記回転子から延出されて同回転子と一体に回動するか、又は、前記開閉体に回動可能に取付けられ、前記回転子を連動させて回動させるハンドルとを備え、
該ハンドルの回動軌跡により形成されるハンドル回動面と、前記開閉体の表面とが対向するように、前記ハンドルが配置されており、
前記ハンドルを回動させることにより、前記スプリングの付勢力に抗して前記回転子を回動させて、前記ロック片と前記係合部との係合を解除するように構成されており、
前記開閉体の前面に操作孔が形成されており、前記回転子、前記ロック片及び前記操作孔が、前記開閉体の裏面側に沿って並列して配置され、前記操作孔を通して前面側から前記ハンドルを操作することにより、前記ハンドルが回動するように構成されていることを特徴とする開閉体のロック装置。
【請求項２】
被取付部材の開口部に開閉可能に取付けられる開閉体のロック装置であって、
前記開閉体に回動可能に取付けられる回転子と、
該回転子の回動に連動してスライドし、他端部が前記被取付部材の係合部に係脱するロック片と、
前記ロック片が前記係合部に向けてスライドするように、前記回転子を直接又は間接的に回動付勢するスプリングと、
前記回転子から延出されて同回転子と一体に回動するか、又は、前記開閉体に回動可能に取付けられ、前記回転子を連動させて回動させるハンドルとを備え、
該ハンドルの回動軌跡により形成されるハンドル回動面と、前記開閉体の表面とが対向するように、前記ハンドルが配置されており、
前記ハンドルを回動させることにより、前記スプリングの付勢力に抗して前記回転子を回動させて、前記ロック片と前記係合部との係合を解除するように構成されており、
前記ハンドルは、前記回転子と別体のレバー状をなし、一端部を回動軸によって支持され、他端部に前記回転子を押して回動させる押圧部が設けられていることを特徴とする開閉体のロック装置。
【請求項３】
前記回転子には、前記スプリングの付勢力によって回動するとき、前記ハンドルの押圧部に当接する突出部が設けられ、前記ハンドルの一端部には、前記回転子の突出部に押されて回動するとき、前記回転子の外周に当接して回動量を規制するストッパ部が設けられている請求項２記載の開閉体のロック装置。
【請求項４】
前記ハンドルは、前記回転子の外周から一体的に伸びるレバー状をなし、前記回転子と一体に回動する請求項１記載の開閉体のロック装置。
【請求項５】
被取付部材の開口部に開閉可能に取付けられる開閉体のロック装置であって、
前記開閉体に回動可能に取付けられる回転子と、
該回転子の回動に連動してスライドし、他端部が前記被取付部材の係合部に係脱するロック片と、
前記ロック片が前記係合部に向けてスライドするように、前記回転子を直接又は間接的に回動付勢するスプリングと、
前記回転子から延出されて同回転子と一体に回動するか、又は、前記開閉体に回動可能に取付けられ、前記回転子を連動させて回動させるハンドルとを備え、
該ハンドルの回動軌跡により形成されるハンドル回動面と、前記開閉体の表面とが対向するように、前記ハンドルが配置されており、
前記ハンドルを回動させることにより、前記スプリングの付勢力に抗して前記回転子を回動させて、前記ロック片と前記係合部との係合を解除するように構成されており、
前記開閉体の前面に操作孔が形成されており、前記回転子、前記ロック片及び前記ハンドルが前記開閉体の裏面側に取付けられて、前記操作孔を通して前面側から前記ハンドルを操作することにより、前記ハンドルが回動するように構成されており、
前記ハンドルは、下から上に引き上げることにより、前記回転子が前記スプリングに抗して回動するように構成されていることを特徴とする開閉体のロック装置。
【請求項６】
被取付部材の開口部に開閉可能に取付けられる開閉体のロック装置であって、
前記開閉体に回動可能に取付けられる回転子と、
該回転子の回動に連動してスライドし、他端部が前記被取付部材の係合部に係脱するロック片と、
前記ロック片が前記係合部に向けてスライドするように、前記回転子を直接又は間接的に回動付勢するスプリングと、
前記回転子から延出されて同回転子と一体に回動するか、又は、前記開閉体に回動可能に取付けられ、前記回転子を連動させて回動させるハンドルとを備え、
該ハンドルの回動軌跡により形成されるハンドル回動面と、前記開閉体の表面とが対向するように、前記ハンドルが配置されており、
前記ハンドルを回動させることにより、前記スプリングの付勢力に抗して前記回転子を回動させて、前記ロック片と前記係合部との係合を解除するように構成されており、
前記開閉体の前壁の上端面に操作孔が形成されており、前記回転子、前記ロック片及び前記ハンドルが、前記開閉体の前壁の内部に取付けられて、前記ハンドルを前記操作孔を通して押し下げることにより、前記回転子が前記スプリングに抗して回動するように構成されていることを特徴とする開閉体のロック装置。
【請求項７】
前記ハンドルと前記ロック片との間には、前記ハンドルを回動させて前記回転子を前記スプリングの付勢力に抗して回動させるとき、その回動量を規制する第１規制部が設けられており、
前記第１規制部は、前記ハンドルの側壁と、前記ロック片に設けられたスライド規制部とからなり、前記ハンドルを回動させて、前記回転子を前記スプリングの付勢力に抗して回動させたときに、前記ハンドルの側壁が前記スライド規制部に当接して、前記ハンドルの回動量が規制されるように構成されている請求項１〜６のいずれか１つに記載の開閉体のロック装置。
【請求項８】
前記ハンドルと前記ロック片との間には、前記ロック片が外部から強制的に開閉体内に引き込まれるとき、その引き込み量を規制する第２規制部が設けられており、この第２規制部による引き込み量は、前記第１規制部による引き込み量よりも大きくされている請求項７記載の開閉体のロック装置。
【手続補正２】
【補正対象書類名】明細書
【補正対象項目名】００１０
【補正方法】変更
【補正の内容】
【００１０】
上記目的を達成するため、本発明は、被取付部材の開口部に開閉可能に取付けられる開閉体のロック装置であって、前記開閉体に回動可能に取付けられる回転子と、該回転子の回動に連動してスライドし、他端部が前記被取付部材の係合部に係脱するロック片と、前記ロック片が前記係合部に向けてスライドするように、前記回転子を直接又は間接的に回動付勢するスプリングと、前記回転子から延出されて同回転子と一体に回動するか、又は、前記開閉体に回動可能に取付けられ、前記回転子を連動させて回動させるハンドルとを備え、該ハンドルの回動軌跡により形成されるハンドル回動面と、前記開閉体の表面とが対向するように、前記ハンドルが配置されており、前記ハンドルを回動させることにより、前記スプリングの付勢力に抗して前記回転子を回動させて、前記ロック片と前記係合部との係合を解除するように構成されており、前記開閉体の前面に操作孔が形成されており、前記回転子、前記ロック片及び前記操作孔が、前記開閉体の裏面側に沿って並列して配置され、前記操作孔を通して前面側から前記ハンドルを操作することにより、前記ハンドルが回動するように構成されていることを特徴とする。
【手続補正３】
【補正対象書類名】明細書
【補正対象項目名】００１１
【補正方法】変更
【補正の内容】
【００１１】
本発明のもう１つは、被取付部材の開口部に開閉可能に取付けられる開閉体のロック装置であって、前記開閉体に回動可能に取付けられる回転子と、該回転子の回動に連動してスライドし、他端部が前記被取付部材の係合部に係脱するロック片と、前記ロック片が前記係合部に向けてスライドするように、前記回転子を直接又は間接的に回動付勢するスプリングと、前記回転子から延出されて同回転子と一体に回動するか、又は、前記開閉体に回動可能に取付けられ、前記回転子を連動させて回動させるハンドルとを備え、該ハンドルの回動軌跡により形成されるハンドル回動面と、前記開閉体の表面とが対向するように、前記ハンドルが配置されており、前記ハンドルを回動させることにより、前記スプリングの付勢力に抗して前記回転子を回動させて、前記ロック片と前記係合部との係合を解除するように構成されており、前記ハンドルは、前記回転子と別体のレバー状をなし、一端部を回動軸によって支持され、他端部に前記回転子を押して回動させる押圧部が設けられていることを特徴とする。
【手続補正４】
【補正対象書類名】明細書
【補正対象項目名】００１４
【補正方法】変更
【補正の内容】
【００１４】
本発明の更にもう１つは、被取付部材の開口部に開閉可能に取付けられる開閉体のロック装置であって、前記開閉体に回動可能に取付けられる回転子と、該回転子の回動に連動してスライドし、他端部が前記被取付部材の係合部に係脱するロック片と、前記ロック片が前記係合部に向けてスライドするように、前記回転子を直接又は間接的に回動付勢するスプリングと、前記回転子から延出されて同回転子と一体に回動するか、又は、前記開閉体に回動可能に取付けられ、前記回転子を連動させて回動させるハンドルとを備え、該ハンドルの回動軌跡により形成されるハンドル回動面と、前記開閉体の表面とが対向するように、前記ハンドルが配置されており、前記ハンドルを回動させることにより、前記スプリングの付勢力に抗して前記回転子を回動させて、前記ロック片と前記係合部との係合を解除するように構成されており、前記開閉体の前面に操作孔が形成されており、前記回転子、前記ロック片及び前記ハンドルが前記開閉体の裏面側に取付けられて、前記操作孔を通して前面側から前記ハンドルを操作することにより、前記ハンドルが回動するように構成されており、前記ハンドルは、下から上に引き上げることにより、前記回転子が前記スプリングに抗して回動するように構成されていることを特徴とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
本発明の更にもう一つは、被取付部材の開口部に開閉可能に取付けられる開閉体のロック装置であって、前記開閉体に回動可能に取付けられる回転子と、該回転子の回動に連動してスライドし、他端部が前記被取付部材の係合部に係脱するロック片と、前記ロック片が前記係合部に向けてスライドするように、前記回転子を直接又は間接的に回動付勢するスプリングと、前記回転子から延出されて同回転子と一体に回動するか、又は、前記開閉体に回動可能に取付けられ、前記回転子を連動させて回動させるハンドルとを備え、該ハンドルの回動軌跡により形成されるハンドル回動面と、前記開閉体の表面とが対向するように、前記ハンドルが配置されており、前記ハンドルを回動させることにより、前記スプリングの付勢力に抗して前記回転子を回動させて、前記ロック片と前記係合部との係合を解除するように構成されており、前記開閉体の前壁の上端面に操作孔が形成されており、前記回転子、前記ロック片及び前記ハンドルが、前記開閉体の前壁の内部に取付けられて、前記ハンドルを前記操作孔を通して押し下げることにより、前記回転子が前記スプリングに抗して回動するように構成されていることを特徴とする。
【手続補正７】
【補正対象書類名】明細書
【補正対象項目名】００１７
【補正方法】変更
【補正の内容】
【００１７】
本発明の開閉体のロック装置においては、前記ハンドルと前記ロック片との間には、前記ハンドルを回動させて前記回転子を前記スプリングの付勢力に抗して回動させるとき、その回動量を規制する第１規制部が設けられており、前記第１規制部は、前記ハンドルの側壁と、前記ロック片に設けられたスライド規制部とからなり、前記ハンドルを回動させて、前記回転子を前記スプリングの付勢力に抗して回動させたときに、前記ハンドルの側壁が前記スライド規制部に当接して、前記ハンドルの回動量が規制されるように構成されていることが好ましい。
【国際調査報告】
2013099601.tif 000021
2013099601.tif 000022
2013099601.tif 000023
2013099601.tif 000024